(57)【要約】【課題】本発明は収納個所からの落下防止機能を有し、携帯機器の使用時においては、携帯機器の収納個所に係止された係止具を解除すること無く片手でスムーズに取り出し、取り出した後の手元からの滑り落ち防止と、また携帯機器の収納時における収納個所への収納作業手順の簡素化を図り、吊着時におけるブラツキによる不快感の防止や構造物への衝突事故が防止できる携帯機器の落下防止装置具を得るにある。【解決手段】携帯機器の筐体に系着したストラップの途中に持着具を設けた面ファスナー片部材を持着した構造と、系止具を取り付けた保持用ストラップの端側に面ファスナー片部材を繋留した構造で携帯機器の落下防止装置具を構成している。【選択図】  図１
2004237036.tif 000002
【特許請求の範囲】
【請求項１】
携帯機器の筐体に系着したストラップの途中に持着具を設けた面ファスナー片部材を持着した構造と、系止具を取り付けた保持用ストラップの端側に面ファスナー片部材を繋留した構造を特徴とする携帯機器の落下防止装置具。
【請求項２】
請求項１に於ける面ファスナー片部材の裏側面に化粧用裏当部材を固着し、この化粧用裏当部材を保持用ストラップの端側に繋留した構造を特徴とする携帯機器の落下防止装置具。
【請求項３】
請求項１に於ける筐体に係着したストラップの途中に固着用基板材を一体化に設け、この固着用基板材に面ファスナー片部材を固着することを特徴とする携帯機器の落下防止装置具。
【発明の詳細な説明】
【０００１】
【発明の属する技術分野】
本発明は使用者の衣服や収納個所に装着して使用し、携帯機器の使用時や収納時にストラップを指に絡めながら、安全、迅速、簡易に着脱可能とした携帯機器の落下防止装置具に関する。
【０００２】
【従来の技術】
従来には、ポケットに収納して使用する携帯機器の落下防止装置の場合に携帯無線電話機の落下防止機構の装置が使用されている。（例えば特許文献１参照）。また、首や肩にかけて使用する携帯機器の落下防止装置の場合には途中にワンタッチ着脱機能を有する用品を取り付けた携帯電話用ストラップの装置が使用されている。（例えば特許文献２参照）。
【０００３】
【特許文献１】
特開平８−１１７０１０号公報
【特許文献２】
特開２０００−３１６６２６号公報（３頁−図２、図４）
【０００４】
【発明が解決しようとする課題】
縦来の携帯機器の落下防止機構（特許文献１）においては、使用者の不意の動作で起こる姿勢の変化により、収納ポケットから飛び出した携帯機器は収納ポケット近辺に係止された係止具により吊着され、結果として収納ポケットからの飛び出し落下事故の防止には有効である。しかし、携帯機器の通常使用時における作業動作は収納ポケット近辺に係着されている係止具を解除してからの携帯機器の取り出しとなり、また使用終了時には携帯機器の収納ポケット近辺への係止具の係着作業が必要になる。この一連の作業動作は携帯機器の使用時毎に発生する作業動作であり、その度ごとに行う係止具の解除及び係着作業はもどかしく面倒臭いと言う欠点があった。特に携帯電話機器の着信による応答使用の場合においては殆どが突然、不意に発生するもので、心の準備が出来ぬまま反応動作を起こすことから、着信時の対応動作がスムーズに執れず、係止具で係止されている事を忘れて強引に引っ張り、係止具や係止部分の破損事故や携帯機器の手元からのこぼれ落ちによる事故などを起こしかねない欠点があった。
【０００５】
また、前記長めのストラップを首や肩から懸けて吊着する装置（特許文献２）に於いては落下事故の防止には有効であるが、携帯機器の吊着における使用者の姿勢の変化で発生する携帯機器のブラツキによる不快感や、ブラツキによる周辺構造物などへの衝突事故による破損などの欠点があった。
【０００６】
本発明は以上のような従来の欠点に鑑み、収納個所からの落下防止機能を有し、携帯機器の使用時においては、携帯機器の収納個所に係止された係止具を解除すること無く片手でスムーズに取り出し、取り出した後の手元からの滑り落ち防止と、また携帯機器の収納時における収納個所への収納作業手順の簡素化を図り、吊着時におけるブラツキによる不快感の防止や構造物への衝突事故が防止できる携帯機器の落下防止装置具を提供することを目的としている。
【０００７】
【課題を解決するための手段】
上記目的を達成するために、本発明は、携帯機器の筐体に系着したストラップの途中に持着具を設けた面ファスナー片部材を持着した構造と、系止具を取り付けた保持用ストラップの端側に面ファスナー片部材を繋留した構造で携帯機器の落下防止装置具を構成している。
【０００８】
【発明の実施の形態】
以下、図面に示す実施の形態により、本発明を詳細に説明する。
【０００９】
図１ないし図８に示す本発明の第１の実施形態において、１は面ファスナー片部材で、この面ファスナー片部材１はループタイプ面１ａと裏側面１ｂから成り、この裏側面１ｂと裏当部材４の接着面４ａとで持着具３を持着部３ａ，３ｂを残してサンドイッチ式に挟んで接着材１３にて貼り合せて一体化に構成し、残したはみ出し部分の持着部３ａ、３ｂにストラップ７のハンド側部分７ａと携帯機器側７ｂをそれぞれ挿入して前記構造の面ファスナー片部材１を持着し、次にストラップ７を携帯機器９の取付部９ａに取り付ける。
【００１０】
なお、この面ファスナー片部材１の材質や品質などは汎用のものであり、形状に関しても本発明の実施の形態では円形状を採用しているが形状には拘らず、例えば楕円形状でも角形状でもよい、またサイズに関してはストラップ７の携帯機器側７ｂの細い部分のループ内を通過できる程度のサイズとする。
【００１１】
３は持着具で、材質には拘らず、持着に耐えうる汎用の細い紐をループ状に作製したものであり、この持着具３のループサイズは取付終了後に於いて持着具３の３ａ部分及び３ｂ部分のそれぞれがストラップ７のハンド側部分７ａと携帯機器側部分７ｂに持着可能な程度のサイズとする。
【００１２】
４は持着具３を面ファスナー片部材１の裏側面１ｂにサンドイッチ式に固着するための裏当部材であり、この裏当部材４の材質は本発明の使用時に於ける引っ張り力による面ファスナー片部材１の変形に追従するものとする。
【００１３】
７は携帯機器に系着する汎用のストラップで、このストラップ７は手に絡める側のハンド側部分７ａと携帯機器９に繋げる細いストラップ７ｂを連結子８で連結した構造を有したものである。
【００１４】
次に、２は面ファスナー片部材で、この面ファスナー片部材２は面ファスナー片部材１のループタイプ面１ａに対しての、もう一方の面であるフックタイプ面２ａと裏側面２ｂから成り、縁部に挿通孔２ｃを設け、この挿通孔２ｃに保持用ストラップ５の端側を連結環１０で連結し、系止具６に設けられた取付孔６ｂにもう一方の端を繋ぎ留めて構成する。
【００１５】
なお、前記面ファスナー片部材２の材質や品質は面ファスナー片部材１と同等の物であり、縁部に汎用の連結環１０を挿通するに必要な口径を有した挿通孔２ｃを設けた構造である。
【００１６】
６は系止具であり、この系止具６は汎用のもので材質や形状には拘らず、携帯機器９の収納個所１４に系止するための系止部分６ａと保持用ストラップ５を連結するための取付孔６ｂを有した構造のものである。
【００１７】
５は面ファスナー片部材２の縁部に設けられた挿通孔２ｃに挿通された連結環１０と系止具６に設けられた取付孔６ｂを繋ぐ保持用ストラップであり、この保持用ストラップ５は汎用のストラップであり、材質には拘らず、強度に関しては携帯機器９の吊着に耐えうるものとする。
【００１８】
上記構成の携帯機器の落下防止装置具の使用に於ける作業手順について説明すると、ストラップ７に保持用ストラップ５を縦装するように（図１、図５）、面ファスナー片部材１のループタイプ面１ａと面ファスナー片部材２のフックタイプ面２ａを合わせて接合し、その接合後に携帯機器９を収納個所１４に収納し（図６）、系止具６の系止部分６ａで収納個所１４の適当な場所に系止する。
【００１９】
以上のように構成された本発明の携帯機器の落下防止装置具に於いて、収納個所１４から携帯機器９が脱落した場合（図７）は、系止部分６ａで収納個所１４に系止された系止具６に繋がる保持用ストラップ５の端側に繋がれた面ファスナー片部材２のフックタイプ面２ａとストラップ７に持着している面ファスナー片部材１のループタイプ面１ａとの引っ張りせん断強さの接合力で、一時的に飛び出し離脱した携帯機器９は前記一連の保持用ストラップの作用で地面への墜落には至らずに保持する事ができる。
【００２０】
次に、通常時においての前記携帯機器９の使用に際しての作業手順（図８）を説明すると、収納個所１４に収納されている携帯機器９のストラップ７に指を絡ませて矢印方向（図８）に携帯機器９を引っ張り出すように力を加えると、収納個所１４に系止されている一連の面ファスナー片部材２と保持用ストラップ５及び保持用ストラップ５で繋がれた系止具６に力が伝わり、その力の反動としてループタイプ面１ａとフックタイプ面２ａの接合部分に接合力の弱い剥離の力が働き、このループタイプ面１ａとフックタイプ面２ａの接合面に剥離現象が起き、維持していた接合力は容易に解除され、面ファスナー片部材１と面ファスナー片部材２は完全に分離することが出きる。
【００２１】
分離後は、本発明の携帯機器の落下防止装置具における一連の系止具６と保持用ストラップ５と面ファスナー片部材２を前記収納個所１４の系止部分に系着して残し、指を絡ませて引っ張り出したストラップ７に繋がれた携帯機器９を自由に使用する事ができる。
【００２２】
そして、携帯機器９の収納個所１４への収納作業手順は収納個所１４に繋留してぶら下がっている一連の保持用ストラップ５に縦装するように、面ファスナー片部材２のフックタイプ面２ａに面ファスナー片部材１のループタイプ面１ａを合わせて接合し、脱着前の状態に戻してから携帯機器９を収納個所１４に収納する事が出きる。
【００２３】
【発明の異なる実施の形態】
次に、図９ないし図１２に示す本発明の異なる実施の形態につき説明する。なお、これらの本発明の異なる実施の形態の説明に当って、前記本発明の第１の実施の形態と同一構成部分には同一符号を付して重複する説明を省略する。
【００２４】
図９ないし図１０に示す本発明の第２の実施の形態において、前記本発明の第１の実施の形態と主に異なる点は、面ファスナー片部材２の裏側面２ｂに化粧用裏当部材２２の裏側面２２ｂを接着し、この化粧用裏当部材２２の縁部に挿通孔２２ｃを設けて保持用ストラップ５に連結環１０で繋いだ点であり、この化粧用裏当部材２２の材質に関しては成型加工が容易で汎用の接着性の良いものなら特に拘らず、接着方法に関しても拘らずに一般的な方法でよい、このように化粧用裏当部材２２を用いて構成された携帯機器の落下防止装置具にしても、前記本発明の第１の実施の形態と同様な作用効果が得られるとともに化粧用裏当部材２２の表側面２２ａにデサイン画やロゴマークなどの宣伝画などが施す事ができる。
【００２４】
図１１ないし図１２に示す本発明の第３の実施の形態において、前記本発明の第１の実施の形態と主に異なる点は、面ファスナー片部材１の裏側面１ｂを固着するための固着用基板部材１１をストラップ７の途中に一体化に取付け設けた点で、この固着用基板部材１１の材質には拘らず、取付け設け方は通常の方法とし、面ファスナー片部材１の裏側面１ｂを固着する固着面は裏側面１１ａでも表側面１１ｂでもよい、このようにストラップ７の途中に固着用基板部材１１を一体化に設けた携帯機器の落下防止装置具にしても前記本発明の第１の実施の形態と同様の作用効果が得られる。
【００２５】
【発明の効果】
以上の説明から明らかなように、本発明にあっては次に列挙する効果が得られる。
【００２６】
（１）携帯機器の筐体に系着したストラップの途中に持着具を設けた面ファスナー片部材を持着した構造と、系止具を取り付けた保持用ストラップの端側に面ファスナー片部材を繋留した構造で構成されているので、収納個所に収納されている携帯機器が一時的に飛び出し離脱しても、面ファスナー片部材同士の引っ張りせん断力による接合力の強さで、地面や構造物への衝突には至らずに収納個所付近に保持する事ができる。
したがって、破損事故や水溜り等への水没事故を防止する事ができる。
【００２６】
（２）前記（１）によって、携帯機器を収納個所から取り出す場合には、指先にストラップを絡ませて引っ張り出す簡単な動作で、容易に面ファスナー片部材同士の接合が解除できる。
したがって、片手でスムーズに携帯機器を収納個所から取り出す事ができる。
【００２７】
（３）前記（１）によって、長めのストラップを採用して首からの吊着使用に際しては、保持用ストラップの長さの範囲内で携帯機器のブラツキを最小限に留める事ができる。
したがって、ブラツキによる不快感や周辺構造物への衝突事故が防止できる。
【００２８】
４）前記（１）によって、収納個所への系止具の装着作業手間は始めの携帯機器収納時における１回だけで次回以降は不要になる。
したがって、面倒な系止具の着脱作業手間が大幅に改善される。
【００２９】
（５）前記（１）によって、構造が簡単であるので、安価に容易に実施する事ができる。
【００３０】
（６）前記（１）によって、使い方も簡単で、誰もが安心して便利に使用できる。
【００３１】
（７）請求項２，３も前記（１）〜（６）と同様な効果が得られるとともに化粧用裏当部材や固定用基板材に装飾を施すことにより機能を持ったアクセサリーとしても利用できる。
【図面の簡単な説明】
【図１】本発明の第１の実施の形態の斜視図。
【図２】本発明の第１の実施の形態の分解側面図。
【図３】本発明の第１の実施の形態の組立説明図。
【図４】本発明の第１の実施の形態の組立説明図。
【図５】本発明の第１の実施の形態の側面図。
【図６】本発明の第１の実施の形態の収納状態の説明図。
【図７】本発明の第１の実施の形態の吊着状態の説明図。
【図８】本発明の第１の実施の形態の使用状態の説明図。
【図９】本発明の第２の実施の形態の説明図。
【図１０】本発明の第２の実施の形態の説明図。
【図１１】本発明の第３の実施の形態の説明図。
【図１２】本発明の第３の実施の形態の説明図。
【符号の説明】
１、１ａ、１ｂ：ループタイプ面ファスナー片部材、
２、２ａ、２ｂ、２ｃ：フックタイプ面ファスナー片部材、
３、３ａ、３ｂ：持着具、                ４、４ａ：裏当部材、
５：保持用ストラップ、                  ６、６ａ、６ｂ：系止具、
７、７ａ、７ｂ：ストラップ、            ８：連結子、
９、９ａ：携帯機器、                  １０：連結環、
１１、１１ａ、１１ｂ：固着用基板部材、
２２、２２ａ、２２ｂ、２２ｃ：化粧用裏当部材
１３：接着剤、                        １４：収納個所、
【図１】
2004237036.tif 000003
【図２】
2004237036.tif 000004
【図３】
2004237036.tif 000005
【図４】
2004237036.tif 000006
【図５】
2004237036.tif 000007
【図６】
2004237036.tif 000008
【図７】
2004237036.tif 000009
【図８】
2004237036.tif 000010
【図９】
2004237036.tif 000011
【図１０】
2004237036.tif 000012
【図１１】
2004237036.tif 000013
【図１２】
2004237036.tif 000014